(57)【要約】【課題】装飾パネルの破損を防止するとともに、パネル周縁部の未装飾部を隠蔽できる装飾パネル固定構造及び携帯型電子機器を提供する。【解決手段】携帯電話端末２と、これを装飾するための装飾パネル１との固定構造であって、装飾パネル１は、携帯電話端末２に装着された際にその筐体の周縁部と隣接する部分が反り返った略板状であり、携帯電話端末２の筐体は、その周縁部でかつ装飾パネル１が装着される領域の周縁となる部分にリブ３を備え、リブ３によって筐体に形成される溝部に装飾パネル１の周縁部の反り返った部分が嵌合する。【選択図】図３
2008113218.tif 000002
【特許請求の範囲】
【請求項１】
携帯型電子機器と、前記携帯型電子機器を装飾するためのパネルとの固定構造であって、
前記パネルは、前記携帯型電子機器に装着された際に該携帯型電子機器の筐体の周縁部と隣接する部分が反り返った略板状であり、
前記携帯型電子機器の筐体は、その周縁部でかつ前記パネルが装着される領域の周縁となる部分にリブを備え、該リブによって前記筐体に形成される溝部に前記パネルの周縁部の反り返った部分が嵌合することを特徴とする装飾パネルの固定構造。
【請求項２】
前記携帯型電子機器は、装着された前記パネルを固定保持するための手段を備えることを特徴とする請求項１記載の装飾パネルの固定構造。
【請求項３】
装飾用のパネルを着脱可能な携帯型電子機器であって、
前記携帯型電子機器の筐体は、その周縁部でかつ前記パネルが装着される領域の周縁となる部分にリブと、該リブによって前記筐体に形成される溝部とを備え、
該溝部に前記パネルの周縁部が嵌合することを特徴とする携帯型電子機器。
【請求項４】
。
装着された前記パネルを固定保持するための手段を備えることを特徴とする請求項３記載の携帯型電子機器。
【請求項５】
前記パネルは、前記携帯型電子機器に装着された際に該携帯型電子機器の筐体の周縁部と隣接する部分が反り返った略板状であることを特徴とする請求項３又は４記載の携帯型電子機器。
【請求項６】
移動体通信網を介して通信可能な移動体通信端末であることを特徴とする請求項３から５のいずれか１項記載の携帯型電子機器。
【発明の詳細な説明】
【技術分野】
【０００１】
本発明は、携帯型電子機器に着脱自在な装飾パネルを装着するための構想に関し、特に、装着される携帯型電子機器の外観上の美観を向上させる装飾パネル固定構造及びこの構造を備えた携帯型電子機器に関する。
【背景技術】
【０００２】
近年、代表的な携帯型電子機器である携帯電話端末においては、特定の機種にユーザの人気が集中し、その機種を使用するユーザが多数存在することとになり、没個性的になってしまうという問題が生じている。
【０００３】
携帯電話端末メーカとしては、１機種につき数種類のカラーバリエーションをラインナップしているものの、展開できる色数には限界があるため、他のユーザの端末との差別化を図りたいというユーザの希望に完全に応えることはできていない。
【０００４】
また、１機種に複数色のカラーバリエーションを展開したとしても、各色の人気が均等になるとは限らない。特定の端末色に人気が集中する場合には、カラーバリエーションを増やしたとしても、人気色の端末のユーザにとっては他のユーザの端末との差別化の実感は薄くなる。
【０００５】
このため、通信や通話といった携帯電話端末としての本来の機能とは無関係に、装飾用のパネルを着脱可能とした携帯電話端末が登場している。
装飾用のパネルは、端末のカラーバリエーションと比較して遙かに多くの種類を展開できるため、他のユーザの端末との差別化というユーザのニーズに応えることが可能となる。
【０００６】
このような装飾用のパネルを着脱自在な携帯電話端末に関する従来技術としては、特許文献１に開示される「携帯型電子機器のカバー部材取付構造、カバー部材、携帯型電子機器及びカバー部材装着方法」や、特許文献２に開示される「携帯端末装置」がある。
【特許文献１】特開２００６−２１７１８９号公報
【特許文献２】特開２００４−８０３９１号公報
【発明の開示】
【発明が解決しようとする課題】
【０００７】
特許文献１のような従来の装飾パネルを着脱自在な携帯電話端末では、図４（ａ）に示すように、装飾パネルは端末の先端や側面に回り込むように装着される。このため、端末を落下させてしまった場合などには、図４（ｂ）に示すように装飾パネルの周縁部に衝撃が直接作用し、パネルが破損する可能性があった。すなわち、装着時に装飾パネルの周縁部が露出しているため、周縁部に衝撃力などが作用して装飾パネルが破損する可能性があった。
また、装飾パネルを端末筐体の凹部にはめ込む構成においては、特許文献２のように、装飾パネルの一部を張り出した筐体の下に潜り込ませるようにしたとしても、スライド部材のスライド方向と直交する方向に関しては、図４（ｃ）のように装飾パネルの周縁部が露出することとなる。よって上記同様に端末を落下させてしまった場合などには、図４（ｄ）に示すように装飾パネルの周縁部に衝撃が直接作用し、パネルが破損する可能性があった。
【０００８】
また、図５に示すように、装飾パネルの周縁部は工法上塗装や印刷をできない部分であるが、従来の携帯電話端末ではパネルの周縁部が露出した状態で装着されるため、美観を損なう原因となっていた。
【０００９】
本発明はかかる問題に鑑みてなされたものであり、装飾パネルの破損を防止するとともに、パネル周縁部の未装飾部を隠蔽できる装飾パネル固定構造及び携帯型電子機器を提供することを目的とする。
【課題を解決するための手段】
【００１０】
上記目的を達成するため、本発明は、第１の態様として、携帯型電子機器と、携帯型電子機器を装飾するためのパネルとの固定構造であって、パネルは、携帯型電子機器に装着された際に該携帯型電子機器の筐体の周縁部と隣接する部分が反り返った略板状であり、携帯型電子機器の筐体は、その周縁部でかつパネルが装着される領域の周縁となる部分にリブを備え、該リブによって筐体に形成される溝部にパネルの周縁部の反り返った部分が嵌合することを特徴とする装飾パネルの固定構造を提供するものである。
【００１１】
本発明の第１の態様においては、携帯型電子機器は、装着されたパネルを固定保持するための手段を備えることが好ましい。
【００１２】
また、上記目的を達成するため、本発明は、第２の態様として、装飾用のパネルを着脱可能な携帯型電子機器であって、携帯型電子機器の筐体は、その周縁部でかつパネルが装着される領域の周縁となる部分にリブと、該リブによって筐体に形成される溝部とを備え、該溝部にパネルの周縁部が嵌合することを特徴とする携帯型電子機器を提供するものである。
【００１３】
本発明の第２の態様においては、装着されたパネルを固定保持するための手段を備えることが好ましい。また、パネルは、携帯型電子機器に装着された際に該携帯型電子機器の筐体の周縁部と隣接する部分が反り返った略板状であることが好ましい。また、移動体通信網を介して通信可能な移動体通信端末であることが好ましい。
【発明の効果】
【００１４】
本発明によれば、装飾パネルの破損を防止するとともに、パネル周縁部の未装飾部を隠蔽できる装飾パネル固定構造及び携帯型電子機器を提供できる。
【発明を実施するための最良の形態】
【００１５】
本発明の好適な実施の形態について説明する。
図１に、本実施形態にかかる装飾パネルの構成を示す。また、図２に、本実施形態にかかる携帯電話端末の構成を示す。装飾パネル１は、３方向（装着時に携帯電話端末２の横方向及び端末端部側となる方向）の周縁部が湾曲した略平皿状である。また、携帯電話端末２は、装飾パネル１と対応する形状となっており、装着箇所の周縁にリブ３が形成されている。携帯電話端末２には、装着された装飾パネル１を固定するためのストッパ４が設けられている。ストッパ４は公知構造を適用可能であるため、説明は省略する。
【００１６】
図３に、装飾パネル１を携帯電話端末２に装着した状態を示す。（ａ）は平面図、（ｂ）はＡ−Ａ’断面図、（ｃ）はＢ部の拡大図である。図示するように、装飾パネル１を携帯電話端末２に装着すると、装飾パネル１の周縁部はリブ３によって隠蔽される。
【００１７】
このため、装飾パネル１の周縁に塗装や印刷がされていない部分があったとしても、その部分はリブ３によって形成される溝部５に嵌って隠蔽される。よって、装飾パネル１を携帯電話端末２に装着した状態では、装飾パネル１の未塗装・未印刷部分を目視できなくなり、携帯電話端末２の美観が向上する。
【００１８】
また、装飾パネル１は、略平皿状であり、携帯電話端末２の側面にまで回り込んでいない。さらに、装飾パネル１の周縁部はリブ３によって隠蔽されている。よって、携帯電話端末２を落下させたとしても、その衝撃力が装飾パネル１の周縁部に作用することはない。
これにより、装飾パネル１の破損が防止される。
【００１９】
リブ３は、大きい方が装飾パネル１を外力から保護する効果が高くなるため、携帯電話端末２のデザイン性を損なわない範囲でおおきくすることが好ましい。
【００２０】
なお、上記実施形態は本発明の好適な実施の一例であり、本発明はこれに限定されることはない。
例えば、上記実施形態においては、折り畳み型の携帯電話端末を例として説明したが、スライド型やストレート型などの他の型であってもよい。
また、装飾パネルやリブの形状、大きさは図示したものに限定されないことはいうまでもない。
さらに、携帯電話端末に限らずあらゆる携帯型電子機器に適用可能であることは言うまでもない。
このように、本発明は様々な変形が可能である。
【図面の簡単な説明】
【００２１】
【図１】本発明の好適な実施の形態にかかる装飾パネルの構成を示す図である。
【図２】本発明の好適な実施の形態にかかる携帯電話端末の構成を示す図である。
【図３】携帯電話端末に装飾パネルを装着した状態を示す図である。
【図４】従来の携帯電話端末に装飾パネルを装着した状態を示す図である。
【図５】装飾パネルの未塗装・未印刷部分を示す図である。
【符号の説明】
【００２２】
１    装飾パネル
２    携帯電話端末
３    リブ
４    ストッパ
５    溝部
【図１】
2008113218.tif 000003
【図２】
2008113218.tif 000004
【図３】
2008113218.tif 000005
【図４】
2008113218.tif 000006
【図５】
2008113218.tif 000007